【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
クライアント電子デバイスにより、長い時間ベースのデジタルメディア作品の最初の時系列部分を含む特定のメディアデータファイル部分を遠隔ソースから取得する段階と、
前記クライアント電子デバイスが、前記特定のメディアデータファイル部分をローカルに格納する段階と、
前記クライアント電子デバイスが、ローカルに格納された特定メディアデータファイル部分を処理して第１の正規化パケットストリームを生成する段階と、
クライアント電子デバイスにより、長い時間ベースのデジタルメディア作品の残りの時系列部分を含む特定メディアデータストリームを前記遠隔ソースから取得する段階と、を含み、
前記ローカルに格納された特定メディアデータファイル部分は第１のビットレートでサンプリングされ、そして遠隔でソース化された特定メディアデータストリームは前記第１のビットレートよりも大きな第２のビットレートでサンプリングされ、更に、
前記クライアント電子デバイスが、リモート供給の前記特定メディアデータストリームを処理して第２の正規化パケットストリームを生成する段階と、
パケット損失耐性(loss tolerant)スティッチングアルゴリズム(stitching algorithm)を用いて、前記第１の正規化パケットストリームの少なくとも一部と前記第２の正規化パケットストリームの少なくとも一部とを結合し、前記長い時間ベースのデジタルメディア作品を実質的に含む損失補償(loss-compensated)メディアデータストリームを生成する段階と、
を含む方法。
【請求項２】
クライアント電子デバイス上で前記損失補償メディアデータストリームをレンダリングする段階を更に含む、請求項１に記載の方法。
【請求項３】
前記ローカルに格納された特定メディアデータファイル部分が、ネットワークプロトコルを用いて、前記結合の前で低バンド幅使用の期間中にリモートソースから取得される、請求項１又は２に記載の方法。
【請求項４】
前記リモート供給の特定メディアデータストリームが、前記ローカルに格納された特定メディアデータファイル部分を処理することと同時期にネットワークプロトコルを用いてリモートソースから取得される、請求項１〜３の何れか１項に記載の方法。
【請求項５】
前記ローカルに格納された特定メディアデータファイル部分を処理して第１の正規化パケットストリームを生成する段階が、前記ローカルに格納された特定メディアデータファイル部分を構文解析して第１の正規化パケットストリームを生成する段階を含む、請求項１〜４の何れか１項に記載の方法。
【請求項６】
前記リモート供給の特定メディアデータストリームを処理して第２の正規化パケットストリームを生成する段階が、前記リモート供給の特定メディアデータストリームを構文解析して第２の正規化パケットストリームを生成する段階を含む、請求項１〜５の何れか１項に記載の方法。
【請求項７】
前記ローカルに格納された特定メディアデータファイル部分がメタデータを含む、請求項１〜６の何れか１項に記載の方法。
【請求項８】
前記損失補償メディアデータストリームが、Ａ／Ｖ損失補償メディアデータストリームを含む、請求項１〜７の何れか１項に記載の方法。
【請求項９】
前記第１及び第２の正規化パケットストリームは、等しいサイズのデータパケットを有するように処理される、請求項１〜８の何れか１項に記載の方法。
【請求項１０】
前記クライアント電子デバイスが、パーソナルコンピュータ、ラップトップコンピュータ、ノートブックコンピュータ、パーソナルメディアデバイス、パーソナルデジタルアシスタント、データ対応セルラー電話、テレビ、ケーブルＴＶ用チューナ、インターネットラジオ、及び専用のネットワークデバイスからなるグループから選ばれる、請求項２に記載の方法。
【請求項１１】
前記ネットワークプロトコルが、マルチメディア・メッセージング・サービス（ＭＭＳ）プロトコル、ハイパーテキスト転送プロトコル（ＨＴＴＰ）、ＦＬＵＴＥプロトコル、及びリアリー・シンプル・シンジケーション（Ｒｅａｌｌｙ  Ｓｉｍｐｌｅ  Ｓｙｎｄｉｃａｔｉｏｎ：ＲＳＳ）プロトコルからなるグループから選ばれる、請求項３に記載の方法。
【請求項１２】
前記ネットワークプロトコルが、リアルタイム・ストリーミング・プロトコル（ＲＴＳＰ）、リアルタイム・トランスポート・プロトコル（ＲＴＰ）、及びユーザ・データグラム・プロトコル（ＵＤＰ）からなるグループから選ばれる、請求項４に記載の方法。
【請求項１３】
前記メタデータが、前記リモート供給の特定メディアデータストリームのロケーションを定める、請求項７に記載の方法。
【請求項１４】
複数の命令が格納されるコンピュータ読み取り可能な媒体上に存在するコンピュータプログラムであって、前記複数の命令が、プロセッサによって実行されたときに、
長い時間ベースのデジタルメディア作品の最初の時系列部分を含む特定のメディアデータファイル部分を遠隔ソースから取得すること、
前記特定のメディアデータファイル部分をローカルに格納すること、
ローカルに格納された特定メディアデータファイル部分を処理して第１の正規化パケットストリームを生成すること、
長い時間ベースのデジタルメディア作品の残りの時系列部分を含む特定メディアデータストリームを前記遠隔ソースから取得すること、を含み、
前記ローカルに格納された特定メディアデータファイル部分は第１のビットレートでサンプリングされ、そして遠隔でソース化された特定メディアデータストリームは前記第１のビットレートよりも大きな第２のビットレートでサンプリングされ、更に、
リモート供給の前記特定メディアデータストリームを処理して第２の正規化パケットストリームを生成すること、
パケット損失耐性スティッチングアルゴリズムを用いて、前記第１の正規化パケットストリームの少なくとも一部と前記第２の正規化パケットストリームの少なくとも一部とを結合し、前記長い時間ベースのデジタルメディア作品を実質的に含む損失補償メディアデータストリームを生成すること、
を含む動作を前記プロセッサに実施させるようにする、コンピュータプログラム。
【請求項１５】
クライアント電子デバイス上で前記損失補償メディアデータストリームをレンダリングする命令を更に含む、請求項１４に記載のコンピュータプログラム。
【請求項１６】
前記ローカルに格納された特定メディアデータファイル部分が、ネットワークプロトコルを用いて、前記結合の前で低バンド幅使用の期間中にリモートソースから取得される、請求項１４又は１５に記載のコンピュータプログラム。
【請求項１７】
前記リモート供給の特定メディアデータストリームが、前記ローカルに格納された特定メディアデータファイル部分を処理することと同時期にネットワークプロトコルを用いてリモートソースから取得される、請求項１４〜１６の何れか１項に記載のコンピュータプログラム。
【請求項１８】
前記ローカルに格納された特定メディアデータファイル部分を処理して第１の正規化パケットストリームを生成する命令が、前記ローカルに格納された特定メディアデータファイル部分を構文解析して第１の正規化パケットストリームを生成する命令を含む、請求項１４〜１７の何れか１項に記載のコンピュータプログラム。
【請求項１９】
前記リモート供給の特定メディアデータストリームを処理して第２の正規化パケットストリームを生成する命令が、前記リモート供給の特定メディアデータストリームを構文解析して第２の正規化パケットストリームを生成する命令を含む、請求項１４〜１８の何れか１項に記載のコンピュータプログラム。
【請求項２０】
前記ローカルに格納された特定メディアデータファイル部分がメタデータを含む、請求項１４〜１９の何れか１項に記載のコンピュータプログラム。
【請求項２１】
前記損失補償メディアデータストリームが、Ａ／Ｖ損失補償メディアデータストリームを含む、請求項１４〜２０の何れか１項に記載のコンピュータプログラム。
【請求項２２】
第１及び第２の正規化パケットストリームを生成する前記命令は、等しいサイズのデータパケットを有する第１及び第２の正規化パケットストリームを生成する命令を含む、請求項１４〜２１の何れか１項に記載のコンピュータプログラム。
【請求項２３】
前記クライアント電子デバイスが、パーソナルコンピュータ、ラップトップコンピュータ、ノートブックコンピュータ、パーソナルメディアデバイス、パーソナルデジタルアシスタント、データ対応セルラー電話、テレビ、ケーブルＴＶ用チューナ、インターネットラジオ、及び専用のネットワークデバイスからなる群から選ばれる、請求項１４に記載のコンピュータプログラム。
【請求項２４】
前記ネットワークプロトコルが、マルチメディア・メッセージング・サービス（ＭＭＳ）プロトコル、ハイパーテキスト転送プロトコル（ＨＴＴＰ）、ＦＬＵＴＥプロトコル、及びリアリー・シンプル・シンジケーション（Ｒｅａｌｌｙ  Ｓｉｍｐｌｅ  Ｓｙｎｄｉｃａｔｉｏｎ：ＲＳＳ）プロトコルからなるグループから選ばれる、請求項１６に記載のコンピュータプログラム。
【請求項２５】
前記ネットワークプロトコルが、リアルタイム・ストリーミング・プロトコル（ＲＴＳＰ）、リアルタイム・トランスポート・プロトコル（ＲＴＰ）、及びユーザ・データグラム・プロトコル（ＵＤＰ）からなるグループから選ばれる、請求項１７に記載のコンピュータプログラム。
【請求項２６】
前記メタデータが、前記リモート供給の特定メディアデータストリームのロケーションを定める、請求項２０に記載のコンピュータプログラム。